(57)【要約】【課題】基板上に互いに異なるサイズを有する複数の第１、第２画像表示部が形成された場合、これらの第１、第２画像表示部の外郭に沿って第１、第２シールパターンをそれぞれ形成するのに所要する時間を短縮させることができる液晶表示パネルのディスペンサ及びこれを利用したディスペンシング方法を提供する。【解決手段】テーブルと、前記テーブル上に設けられた回転台と、前記回転台上に配置され、複数の第１画像表示部及び第２画像表示部が形成された基板と、前記基板上にシーラントを供給して複数の第１シールパターン及び第２シールパターンを順次形成する少なくとも一つのシリンジと、を含み、前記複数の第１シールパターンは、前記複数の第１画像表示部の外郭に沿ってそれぞれ形成され、前記複数の第２シールパターンは、前記複数の第２画像表示部の外郭に沿ってそれぞれ形成されるように液晶表示パネルのディスペンサを構成する。【選択図】図２
2005196129.tif 000002
【特許請求の範囲】
【請求項１】
テーブルと、
前記テーブル上に設けられ、複数の第１画像表示部及び第２画像表示部が形成された基板を配置するための回転台と、
前記基板上にシーラントを供給して複数の第１シールパターン及び第２シールパターンを順次形成する少なくとも一つのシリンジと、から構成され、
前記複数の第１シールパターンは、前記複数の第１画像表示部の外郭に沿ってそれぞれ形成され、前記複数の第２シールパターンは、前記複数の第２画像表示部の外郭に沿ってそれぞれ形成されることを特徴とする液晶表示パネルのディスペンサ。
【請求項２】
前記複数の第１画像表示部と第２画像表示部とは、サイズが互いに異なることを特徴とする請求項１記載の液晶表示パネルのディスペンサ。
【請求項３】
前記基板は、少なくとも一つの薄膜トランジスタアレイ基板を含むことを特徴とする請求項１記載の液晶表示パネルのディスペンサ。
【請求項４】
前記基板は、複数の薄膜トランジスタアレイ基板を含むことを特徴とする請求項１記載の液晶表示パネルのディスペンサ。
【請求項５】
前記基板は、少なくとも一つのカラーフィルタ基板を含むことを特徴とする 請求項１記載の液晶表示パネルのディスペンサ。
【請求項６】
前記基板は、複数のカラーフィルタ基板を含むことを特徴とする請求項１記載の液晶表示パネルのディスペンサ。
【請求項７】
前記複数の第１シールパターン及び第２シールパターンは、シールパターンの側面に沿って開放されることを特徴とする請求項１記載の液晶表示パネルのディスペンサ。
【請求項８】
前記複数の第１シールパターン及び第２シールパターンは、前記複数の第１画像表示部及び第２画像表示部の外郭をそれぞれ取り囲む、閉鎖されたパターンであることを特徴とする請求項１記載の液晶表示パネルのディスペンサ。
【請求項９】
前記テーブルを前記基板の短辺と平行な方向に駆動させる第１駆動軸と、
前記テーブルを前記基板の長辺と平行な方向に駆動させる第２駆動軸と、
をさらに備えて構成されることを特徴とする請求項１記載の液晶表示パネルのディスペンサ。
【請求項１０】
前記シリンジは、前記複数の第１画像表示部と同じ個数が備えられることを特徴とする請求項１記載の液晶表示パネルのディスペンサ。
【請求項１１】
前記シリンジは、前記複数の第１画像表示部の少なくとも一つの列、または少なくとも一つの行に対応する個数が備えられることを特徴とする請求項１記載の液晶表示パネルのディスペンサ。
【請求項１２】
前記シリンジは、少なくとも一つの支持台に整列及び固定されることを特徴とする請求項１１記載の液晶表示パネルのディスペンサ。
【請求項１３】
複数の第１画像表示部及び第２画像表示部が形成された基板をテーブルにローディングする段階と、
前記基板上に複数のシリンジを通してシーラントを供給して、前記各第１画像表示部の外郭に沿って第１シールパターンを形成する段階と、
前記基板を回転させる段階と、
前記基板上にシーラントを供給して、前記各第２画像表示部の外郭に沿って第２シールパターンを形成する段階と、
を含んでなることを特徴とする液晶表示パネルのディスペンシング方法。
【請求項１４】
前記複数の第１画像表示部と第２画像表示部とは、サイズが互いに異なることを特徴とする請求項１３記載の液晶表示パネルのディスペンシング方法。
【請求項１５】
前記複数の第１シールパターンを形成する段階は、
前記テーブルを前記基板の短辺と平行な方向に駆動させながら、前記基板上に前記複数のシリンジを通してシーラントを供給して、各第１シールパターンの短辺を形成する段階と、
前記テーブルを前記基板の長辺と平行な方向に駆動させながら、前記基板上に前記複数のシリンジを通してシーラントを供給して、各第１シールパターンの長辺を形成する段階と、
からなることを特徴とする請求項１３記載の液晶表示パネルのディスペンシング方法。
【請求項１６】
前記複数の第１シールパターンの短辺を形成する段階と、複数の第１シールパターンの長辺を形成する段階とは、交互に行われることを特徴とする請求項１５記載の液晶表示パネルのディスペンシング方法。
【請求項１７】
前記基板を回転させた後に、前記複数のシリンジを整列させる段階をさらに含んでなることを特徴とする請求項１３記載の液晶表示パネルのディスペンシング方法。
【請求項１８】
前記基板は、９０゜回転されることを特徴とする請求項１７記載の液晶表示パネルのディスペンシング方法。
【請求項１９】
前記基板を回転させる間に、前記複数のシリンジの第１整列を第２整列に変化させる段階をさらに含んでなることを特徴とする請求項１５記載の液晶表示パネルのディスペンシング方法。
【請求項２０】
前記基板は、９０゜回転されることを特徴とする請求項１９記載の液晶表示パネルのディスペンシング方法。
【請求項２１】
前記複数の第２シールパターンを形成する段階は、
前記テーブルを前記基板の短辺と平行な方向に駆動させながら、前記基板上に前記複数のシリンジの少なくとも一部のシリンジを通してシーラントを供給して、各第２シールパターンの短辺を形成する段階と、
前記テーブルを前記基板の長辺と平行な方向に駆動させながら、前記基板上に前記複数のシリンジの少なくとも一部のシリンジを通してシーラントを供給して、各第２シールパターンの長辺を形成する段階と、
からなることを特徴とする請求項１３記載の液晶表示パネルのディスペンシング方法。
【請求項２２】
前記複数の第２シールパターンの短辺を形成する段階と、複数の第２シールパターンの長辺を形成する段階とは、交互に行われることを特徴とする請求項２１記載の液晶表示パネルのディスペンシング方法。
【発明の詳細な説明】
【技術分野】
【０００１】
本発明は、液晶表示パネルのディスペンサ及びこれを利用したディスペンシング方法に関し、より詳しくは、互いに異なるサイズの画像表示部が形成された大面積の母基板上にシールパターンを形成するのに適合した液晶表示パネルのディスペンサ及びこれを利用したディスペンシング方法に関する。
【背景技術】
【０００２】
一般に、液晶表示装置は、マトリックス状に配列された各画素に画像情報によるデータ信号を個別的に供給して、これらの画素の光透過率を調節することで、所望の画像を表示できるようにした表示装置である。
よって、このような液晶表示装置は、複数の画素がマトリックス状に配列される液晶表示パネルと、前記画素を駆動させるためのゲート駆動部及びデータ駆動部と、を備える。
前記液晶表示パネルは、一定のセルギャップが維持されるように合着されたカラーフィルタ基板及び薄膜トランジスタアレイ基板と、これらのカラーフィルタ基板と薄膜トランジスタアレイ基板間のセルギャップに形成された液晶層と、から構成される。
【０００３】
また、前記液晶表示パネルには、前記データ駆動部から供給されるデータ信号を各画素に伝送するための複数のデータラインと前記ゲート駆動部から供給される走査信号を各画素に伝送するための複数のゲートラインとが互いに直交し、これらのデータラインとゲートラインとの交差部毎に画素が定義される。
前記各画素には、前記データ駆動部からデータラインを通して伝送されるデータ信号をスイッチングする薄膜トランジスタ、及びその薄膜トランジスタを通して前記データ信号の印加を受ける画素電極が個別的に備えられる。
前記ゲート駆動部は、複数のゲートラインに走査信号を順次供給することで、マトリックス状に配列された複数の画素が一つのラインずつ順次選択されるようにし、その選択された一つのラインの各画素には、前記データ駆動部からデータ信号が供給される。
【０００４】
一方、前記カラーフィルタ基板と薄膜トランジスタアレイ基板とが合着された液晶表示パネルには、共通電極及び画素電極が形成されて、前記液晶層に電界を印加する。
従って、前記共通電極に電圧を印加した状態で、前記画素電極に印加されるデータ信号の電圧を制御すると、前記液晶層の液晶は、前記共通電極と画素電極間の電界によって誘電異方性により回転することによって、画素別に光を透過または遮断させて文字や画像を表示するようになる。
【０００５】
以下、このような液晶表示装置の構成要素を添付の図面を参照して詳細に説明する。
図４は、液晶表示装置の薄膜トランジスタアレイ基板とカラーフィルタ基板とが対向して合着された単位液晶表示パネルの概略的な平面構造を示す例示図である。
図４を参照すると、液晶表示パネル１００は、複数の液晶セルがマトリックス状に配列される画像表示部１１３と、その画像表示部１１３の複数のゲートラインと接続されるゲートパッド部１１４、及び複数のデータラインと接続されるデータパッド部１１５と、を含んで構成される。
【０００６】
ここで、前記ゲートパッド部１１４及びデータパッド部１１５は、カラーフィルタ基板１０２と重ならない薄膜トランジスタアレイ基板１０１の縁部領域に形成され、前記ゲートパッド部１１４は、ゲートドライバ集積回路から供給される走査信号を前記画像表示部１１３のゲートラインに供給し、前記データパッド１１５は、データドライバ集積回路から供給される画像情報を前記画像表示部１１３のデータラインに供給する。
また、前記画像表示部１１３の薄膜トランジスタアレイ基板１０１には、画像情報が印加される複数のデータラインと走査信号が印加される複数のゲートラインとが互いに垂直に交差して配置され、その交差部に液晶セルをスイッチングするための薄膜トランジスタと、その薄膜トランジスタに接続されて液晶セルを駆動する画素電極と、これらの画素電極及び薄膜トランジスタを保護するために全面に形成された保護膜と、が備えられる。
また、前記画像表示部１１３のカラーフィルタ基板１０２には、ブラックマトリックスによりセル領域別に分離されて塗布された複数のカラーフィルタと、前記薄膜トランジスタアレイ基板１０１に形成された画素電極の対向電極である共通透明電極と、が備えられる。
【０００７】
このように構成された薄膜トランジスタアレイ基板１０１とカラーフィルタ基板１０２とは、スペーサにより一定に離隔するようにセルギャップが設けられ、前記画像表示部１１３の外郭に形成されたシールパターン１１６により合着されることで、単位液晶表示パネルをなす。
このような単位液晶表示パネルの製作において、収率を向上させるために、大面積の母基板に複数の単位液晶表示パネルを同時に形成する方式が一般に適用されている。
従って、前記複数の液晶表示パネルが製作された母基板を切断及び加工して、大面積の母基板から各単位液晶表示パネルを分離する工程が要求される。
【０００８】
前記大面積の母基板から分離された単位液晶表示パネルには、液晶注入口を通して液晶を注入し、薄膜トランジスタアレイ基板１０１とカラーフィルタ基板１０２とを離隔させるセルギャップに液晶層を形成して、その液晶注入口を密封する。
前述したように、単位液晶表示パネルを製作するためには、薄膜トランジスタアレイ基板１０１及びカラーフィルタ基板１０２を個別的に製作し、これらの薄膜トランジスタアレイ基板１０１とカラーフィルタ基板１０２とを均一なセルギャップが維持されるように合着した後、単位液晶表示パネルに切断し、液晶を注入する工程が要求される。
【０００９】
一方、図５は、大面積の母基板上に複数の画像表示部が形成された例を示す例示図であって、図５に示すように、母基板２００上には、母基板２００及び画像表示部２１０のサイズを考慮して、六つの画像表示部２１０が一定に離隔して形成されている。
しかしながら、従来技術によれば、図６に示すように、母基板のサイズが固定された状態でさらに大きいサイズの画像表示部を製作する場合は、母基板上に四つの画像表示部のみを形成することができ、これらの画像表示部が形成されない領域の母基板はダミー領域として廃棄される。
【発明の開示】
【発明が解決しようとする課題】
【００１０】
従って、前記母基板の利用効率が低下することにより生産性の向上を阻害し、製品の原価を上昇させる要因となるという問題点があった。
そこで、本発明は、前述したような従来技術の諸般の問題点を解決するためになされたもので、本発明の目的は、大面積の母基板上に互いに異なるサイズを有するように複数の画像表示部を形成し、これらの画像表示部の外郭に沿ってシールパターンを形成する時間を短縮できる液晶表示パネルのディスペンサ及びこれを利用したディスペンシング方法を提供することにある。
【課題を解決するための手段】
【００１１】
このような本発明の目的を達成するための液晶表示パネルのディスペンサは、テーブルと、前記テーブル上に設けられた回転台と、前記回転台上に配置され、複数の第１画像表示部及び第２画像表示部が形成された基板と、前記基板上にシーラントを供給して複数の第１シールパターン及び第２シールパターンを順次形成する少なくとも一つのシリンジと、から構成され、前記複数の第１シールパターンは、前記複数の第１画像表示部の外郭に沿ってそれぞれ形成され、前記複数の第２シールパターンは、前記複数の第２画像表示部の外郭に沿ってそれぞれ形成されることを特徴とする。
そして、本発明の目的を達成するための液晶表示パネルのディスペンシング方法は、複数の第１画像表示部及び第２画像表示部が形成された基板をテーブルにローディングする段階と、前記基板上に複数のシリンジを通してシーラントを供給して、前記各第１画像表示部の外郭に沿って第１シールパターンを形成する段階と、前記基板を回転させる段階と、前記基板上にシーラントを供給して、前記各第２画像表示部の外郭に沿って第２シールパターンを形成する段階と、を含んでなることを特徴とする。
【発明の効果】
【００１２】
本発明に係る液晶表示パネルのディスペンサ及びこれを利用したディスペンシング方法においては、基板上に互いに異なるサイズを有する複数の第１、第２画像表示部が形成された場合、これらの第１、第２画像表示部の外郭に沿って第１、第２シールパターンをそれぞれ形成するのに所要する時間を短縮させることにより、液晶表示装置の生産性を向上させることができるという効果がある。
【実施例】
【００１３】
以下、本発明に係る液晶表示パネルのディスペンサ及びこれを利用したディスペンシング方法を実施するための最良の態様を添付の図面を参照して詳細に説明する。
図１は、本発明に係る互いに異なるサイズを有する複数の第１画像表示部及び第２画像表示部が形成された大面積の母基板を示す例示図である。
図２は、本発明に係る液晶表示パネルのディスペンサを示す例示図である。
【００１４】
図１を参照すると、母基板３００上には、第１サイズを有する複数の第１画像表示部３１０が一定に離隔して形成され、第２サイズを有する複数の第２画像表示部３２０が一定に離隔して形成される。
このように、母基板３００上に第１サイズを有する複数の第１画像表示部３１０及び第２サイズを有する複数の第２画像表示部３２０を形成する場合は、前述した図６に示された母基板２００の廃棄されるべきダミー領域２３０に、前記第１画像表示部３１０に比べてサイズの小さい第２画像表示部３２０を形成することにより、母基板３００の利用効率を向上させることができる。
【００１５】
一方、本発明に係る液晶表示パネルのディスペンサは、図２に示すように、第１サイズの第１画像表示部４１３A〜４１３D及び第２サイズの第２画像表示部４１３E〜４１３Hが形成された基板４００と、前記基板４００がローディングされるテーブル４１０と、前記基板４００上にシーラントを供給して、前記第１画像表示部４１３A〜４１３D及び第２画像表示部４１３E〜４１３Hの外郭に沿って第１シールパターン４１６A〜４１６D及び第２シールパターン４１６E〜４１６Hを順次形成する第１、第２シリンジ４０１A、４０１Bと、前記第１、第２シリンジ４０１A、４０１Bを整列及び固定させる支持台４１４Aと、前記テーブル４１０を前記基板４００の短辺と平行な方向に駆動させる第１駆動軸４５０A、４５０Bと、前記テーブル４１０を前記基板４００の長辺と平行な方向に駆動させる第２駆動軸４６０A、４６０Bと、前記テーブル４１０を９０゜回転させる回転台４７０と、から構成される。
ここで、前記基板４００としては、複数の薄膜トランジスタアレイ基板が製作された大面積のガラス材の第１母基板、または複数のカラーフィルタ基板が製作された大面積のガラス材の第２母基板を適用することができる。
【００１６】
また、前記支持台４１４Aには、第１、第２シリンジ４０１A、４０１Bが整列及び固定されて、前記基板４００上に形成された第１画像表示部４１３A〜４１３Dの一つの行に対応するように配置され、前記基板４００上に形成された第１画像表示部４１３A〜４１３Dの個数に応じて、複数個の第１、第２シリンジ４０１A、４０１Bを支持台４１４Aに整列及び固定することができる。
且つ、前記第１、第２シリンジ４０１A、４０１Bを前記第１画像表示部４１３A〜４１３Dの全領域に対応するように複数個備え、これらの複数個の第１、第２シリンジ４０１A、４０１Bを整列及び固定させるための支持台４１４Aを複数個備えて、前記第１画像表示部４１３A〜４１３Dの外郭に沿って前記第１シールパターン４１６A〜４１６Dを同時に形成することもできる。
【００１７】
例えば、前記基板４００上に形成される第１画像表示部４１３A〜４１３DがM行×N列の行列を有するように形成される場合、これらの画像表示部４１３A〜４１３M×Nの全領域に対応するようにM×N個のシリンジ４０１A〜４０１M×Nを備え、これらのM×N個のシリンジ４０１A〜４０１M×Nは、M個の支持台４１４A〜４１４Mに整列及び固定することができる。
前記M個の支持台４１４A〜４１４Mに整列及び固定されたシリンジ４０１A〜４０１M×Nは、前記第１画像表示部４１３A〜４１３M×Nの外郭に沿って、第１シールパターン４１６A〜４１６M×Nを同時に形成することができ、または第１シールパターン４１６A〜４１６M×Nの一つの行または一つの列単位で形成することができる。
【００１８】
以下、本発明に係る液晶表示パネルのディスペンサを利用したディスペンシング方法を添付の図面を参照して順次説明する。
図３(a)乃至図３(d)は、本発明に係る液晶表示パネルのディスペンサを利用したディスペンシング方法を順次示す例示図である。
まず、図３(a)に示すように、第１サイズの第１画像表示部４１３A〜４１３D及び第２サイズの第２画像表示部４１３E〜４１３Hが形成された基板４００をテーブル４１０にローディングする。
その後、図３(b)に示すように、前記基板４００がローディングされたテーブル４１０を第１駆動軸４５０A、４５０Bを用いて基板４００の短辺と平行な方向に駆動させながら、第１、第２シリンジ４０１A、４０１Bを通して基板４００上にシーラントを供給して、第１シールパターン４１６A、４１６Bの短辺を形成し、前記基板４００がローディングされたテーブル４１０を第２駆動軸４６０A、４６０Bを用いて基板４００の長辺と平行な方向に駆動させながら、第１シールパターン４１６A、４１６Bの長辺を形成することで、第１画像表示部４１３A、４１３Bの外郭に第１シールパターン４１６A、４１６Bを形成する。
次いで、前記図３(b)の過程を繰り返して第１画像表示部４１３C、４１３Dの外郭にも第１シールパターン４１６C、４１６Dを形成する。
【００１９】
その後、図３(c)に示すように、前記回転台４７０を用いて、前記基板４００がローディングされたテーブル４１０を９０゜回転させる。
その後、図３(d)に示すように、前記回転されたテーブル４１０を第１駆動軸４５０A、４５０Bを用いて基板４００の短辺と平行な方向に駆動させながら、第１、第２シリンジ４０１A、４０１Bを通して基板４００上にシーラントを供給して、第２シールパターン４１６E、４１６Fの短辺を形成し、前記回転されたテーブル４１０を第２駆動軸４６０A、４６０Bを用いて基板４００の長辺と平行な方向に駆動させながら、第２シールパターン４１６E、４１６Fの長辺を形成することで、第２画像表示部４１３E、４１３Fの外郭に第２シールパターン４１６E、４１６Fを形成する。
ここで、前記第１画像表示部４１３A〜４１３D及び第２画像表示部４１３E〜４１３Hが配置された形態や支持台４１４Aに整列及び固定された第１、第２シリンジ４０１A、４０１Bの隔離距離によって、第２画像表示部４１３E、４１３Gの外郭に第２シールパターン４１６E、４１６Gを形成することができる。
【００２０】
同じように、前記基板４００を回転させた後、第１画像表示部４１３A〜４１３D及び第２画像表示部４１３E〜４１３Hが配置された形態や支持台４１４Aに整列及び固定された第１、第２シリンジ４０１A、４０１Bの隔離距離によって、支持台４１４Aに整列及び固定された第１、第２シリンジ４０１A、４０１Bを再整列させて、第２画像表示部４１３E、４１３Fまたは４１３E、４１３Gの外郭に沿って第２シールパターン４１６E、４１６Fまたは４１６E、４１６Gを形成することができる。
次いで、前記図３(d)の過程を繰り返して第２画像表示部４１３G、４１３Hの外郭にも第２シールパターン４１６G、４１６Hを形成する。
【００２１】
このように、本発明に係る液晶表示パネルのディスペンサ及びこれを利用したディスペンシング方法においては、第１サイズを有する第１画像表示部４１３A〜４１３D及び第２サイズを有する第２画像表示部４１３E〜４１３Hが形成された基板４００をテーブル４１０にローディングし、まず、第１サイズを有する第１画像表示部４１３A〜４１３Dの外郭に沿って第１シールパターン４１６A〜４１６Dを形成した後に基板４００を９０゜回転させ、第２サイズを有する第２画像表示部４１３E〜４１３Hの外郭に沿って第２シールパターン４１６E〜４１６Hを形成する。
従って、互いに異なるサイズを有する第１画像表示部４１３A〜４１３D及び第２画像表示部４１３E〜４１３Hが基板４００上に形成された場合、これらの第１画像表示部４１３A〜４１３D及び第２画像表示部４１３E〜４１３Hの外郭に沿って第１シールパターン４１６A〜４１６D及び第２シールパターン４１６E〜４１６Hをそれぞれ形成するのに所要する時間を短縮させることができる。
【００２２】
一方、このような本発明に係る液晶表示パネルのディスペンサ及びこれを利用したディスペンシング方法により形成されるシールパターンは、液晶表示パネルに液晶層を形成する方式によってその形態が異なり、液晶表示パネルに液晶層を形成する方式は、大きく真空注入方式と滴下方式とに区分される。
【００２３】
前記真空注入方式は、大面積の母基板から分離された単位液晶表示パネルの液晶注入口を所定の真空が設定されたチャンバ内で液晶が充填された容器に浸液した後に真空の程度を変化させることで、液晶表示パネルの内部と外部との圧力差により液晶を液晶表示パネルの内部に注入させる方式であって、このように液晶が液晶表示パネルの内部に充填されると、液晶注入口を密封して液晶表示パネルの液晶層を形成する。
前記真空注入方式における液晶注入口は、シールパターンの一側が開放された領域に定義される。従って、液晶表示パネルに真空注入方式により液晶層を形成する場合は、シールパターンの一部が開放されるように形成して液晶注入口の機能を有するようにすべきである。
【００２４】
前記滴下方式は、複数の薄膜トランジスタアレイ基板が製作される大面積の第１母基板、または複数のカラーフィルタ基板が製作される大面積の第２母基板の画像表示領域内に液晶を滴下及び分配し、これらの第１、第２母基板を合着する圧力により液晶を画像表示領域全体に均一に分布させることで液晶層を形成する方式である。
即ち、液晶表示パネルに滴下方式により液晶層を形成する場合は、液晶が外部から充填されることなく基板上に直接滴下されるので、シールパターンは、液晶が画像表示部の外部に漏洩されることを防止できるように、画像表示部の外郭を取り囲む閉鎖されたパターンに形成すべきである。
【００２５】
前記滴下方式が適用された液晶表示パネルは、真空注入方式とは異なって、液晶層が形成された後に複数の薄膜トランジスタアレイ基板が製作される大面積の第１母基板と複数のカラーフィルタ基板が製作される大面積の第２母基板とを合着し、単位液晶パネルを分離する工程が進行される。
前記滴下方式が適用される場合、シールパターンを熱硬化性シーラントから形成すると、液晶表示パネルを合着させる後続工程でシーラントが加熱される間に拡散されて、滴下された液晶が汚染されることができる。従って、前記滴下方式が適用される場合、シールパターンは、紫外線(UV)硬化性シーラントを適用することができ、または紫外線硬化性シーラントと熱硬化性シーラントとが混合されたシーラントを適用することができる。
【００２６】
前述したように、本発明に係る液晶表示パネルのディスペンサ及びこれを利用したディスペンシング方法は、互いに異なるサイズを有する複数の第１、第２画像表示部が形成された基板をローディングして、各第１画像表示部の外郭に沿って第１シールパターンを形成し、基板を回転させた後に各第２画像表示部の外郭に沿って第２シールパターンを形成する。
【図面の簡単な説明】
【００２７】
【図１】本発明に係る互いに異なるサイズを有する複数の第１画像表示部及び第２画像表示部が形成された大面積の母基板を示す例示図である。
【図２】本発明に係る液晶表示パネルのディスペンサを示す例示図である。
【図３（ａ）】本発明に係る液晶表示パネルのディスペンサを利用したディスペンシング方法を順次示す例示図である。
【図３（ｂ）】本発明に係る液晶表示パネルのディスペンサを利用したディスペンシング方法を順次示す例示図である。
【図３（ｃ）】本発明に係る液晶表示パネルのディスペンサを利用したディスペンシング方法を順次示す例示図である。
【図３（ｄ）】本発明に係る液晶表示パネルのディスペンサを利用したディスペンシング方法を順次示す例示図である。
【図４】一般的な液晶表示装置の薄膜トランジスタアレイ基板とカラーフィルタ基板とが対向して合着された単位液晶表示パネルの概略的な平面構造を示す例示図である。
【図５】従来技術による大面積の母基板上に複数の画像表示部が形成された例を示す例示図である。
【図６】図５の母基板上にさらに大きいサイズの複数の画像表示部が形成された例を示す例示図である。
【符号の説明】
【００２８】
４００  基板
４１０  テーブル
４０１A  第１シリンジ
４０１B  第２シリンジ
４１３A〜４１３D  第１画像表示部
４１３E〜４１３H  第２画像表示部
４１４A  支持台
４１６A〜４１６D  第１シールパターン
４１６E〜４１６H  第２シールパターン
４５０A、４５０B  第１駆動軸
４６０A、４６０B  第２駆動軸
４７０  回転台
【図１】
2005196129.tif 000003
【図２】
2005196129.tif 000004
【図３（ａ）】
2005196129.tif 000005
【図３（ｂ）】
2005196129.tif 000006
【図３（ｃ）】
2005196129.tif 000007
【図３（ｄ）】
2005196129.tif 000008
【図４】
2005196129.tif 000009
【図５】
2005196129.tif 000010
【図６】
2005196129.tif 000011